(57)【要約】【課題】  閉じる場合の緩衝効果と、耐久性、性能の安定と均一性、そして開ける場合の耐久性、安定性にも優れ、施工性の良好な、遊技機器用幕板の新しい開閉制御の構造を提供する。【解決手段】  幕板裏面部に配設される回動緩衝機構は、回転緩衝装置（ダンパー）とアーム体部並びに係止ストッパー部とを備え、幕板４がはね上げられて開かれる場合には、アーム体部４２は上方への回動にともなうスライドで係止ストッパー部４３への係止による開かれたままの状態での持続が可能とされ、幕板４が閉じられる場合にはアーム体部４２の係止が解除されるとともに、幕板４の自重による回動が前記回転緩衝装置（ダンパー）４１により緩衝制御される。【選択図】  図２
2011212275.tif 000002
【特許請求の範囲】
【請求項１】
はね上げ方式の遊技機島用幕板における回動緩衝機構による開閉制御の構造であって、幕板裏面部に配設される回動緩衝機構は、回転緩衝装置（ダンパー）とアーム体部並びに係止ストッパー部とを備え、
アーム体部は長穴を有し、
この長穴は、回転緩衝装置（ダンパー）の回動軸を挟持してアーム体部を回動可能とする幅を持つとともに、
この長穴において、回転緩衝装置（ダンパー）の回動軸に対してアーム体部がその長さ方向にスライド可能とされており、
アーム体部の一方の端部は幕板の裏面を支承して幕板の開閉とともにアーム体部を回動させ、
アーム体部の他方の端部では、長穴を介してのスライドによって、係止ストッパー部への係止とその解除とが可能とされており、
幕板がはね上げられて開かれる場合には、アーム体部は上方への回動にともなう前記スライドで係止ストッパー部への係止による開かれたままの状態での持続が可能とされ、
幕板が閉じられる場合にはアーム体部の係止が解除されるとともに、幕板の自重による回動が前記回転緩衝装置（ダンパー）により緩衝制御されることを特徴とする幕板の開閉制御の構造。
【請求項２】
係止ストッパー部は、アーム体部の端部が挿入される穴部もしくは溝部を有していることを特徴とする請求項１に記載の開閉制御の構造。
【発明の詳細な説明】
【技術分野】
【０００１】
本発明は、パチンコ機、パチスロ機等の遊技機の島構造に配置される遊技機上部の幕板についての、新しい開閉制御の構造に関するものである。
【背景技術】
【０００２】
遊技場においては、パチンコ機やパチスロ機などの各種の遊技機が配置された遊技機島が構成されている。これら遊技機島においては、遊技機配置位置の上部に幕板が設けられ、種々のランプやＬＥＤによる電飾、様々な表示などがこの幕板に施されている（例えば特許文献１〜３）。
【０００３】
通常、幕板は、蝶番を用いて取付けられていて、いわゆる「はね上げ方式」、すなわち、その下端を持って上端部を支点としつつ回動させて開き、また、自重により回動して閉じるようにした方式で開閉可能としている。遊技機設置島のメンテナンス時には幕板が開かれて幕板裏面側の空間に設けられた設備の点検などが行われることになる。
【０００４】
しかしながら、従来の幕板においては蝶番による取付けでのはね上げ方式による開閉構造であることから、幕板を閉じようとする場合、その自重によって回動降下するため、閉鎖時の衝撃が大きく、蝶番による取付けそのものを損傷しかねないばかりか、幕板に施している装飾や表示の損傷、脱落という問題があり、さらには遊技中の客人に不快感を与えてしまい、危険でもあるという問題が生じることになる。
【０００５】
そこで、クッションやバネなどの弾性緩衝材を配置することなどが試みられているが、これらは、緩衝効果や耐久性、安定性、施工性、性能均一性などの点で問題が残されているのが実状である。
【０００６】
しかもまた、従来の構造においては、幕板を開いた状態で維持することについてもあまり考慮されてきていない。せいぜい、フックによる係止などの手段であって、耐久性、安定性や性能均一性に乏しいと言える。
【先行技術文献】
【特許文献】
【０００７】
【特許文献１】特開２００７−６１５６７号公報
【特許文献２】特開２００５−３４１９２号公報
【特許文献３】特開２００８−２８９７９８号公報
【発明の概要】
【発明が解決しようとする課題】
【０００８】
本発明は、以上のとおりの背景から、従来の問題点を解消し、閉じる場合の緩衝効果と、耐久性、性能の安定と均一性、そして開ける場合の耐久性、安定性にも優れ、施工性の良好な、幕板の新しい開閉制御の構造を提供することを課題としている。
【課題を解決するための手段】
【０００９】
そこで、本発明は、前記課題を解決するために、以下のことを特徴としている。
【００１０】
第１：はね上げ方式の遊技機島用幕板における回動緩衝機構による開閉制御の構造であって、幕板裏面部に配設される回動緩衝機構は、回転緩衝装置（ダンパー）とアーム体部並びに係止ストッパー部とを備え、
アーム体部は長穴を有し、
この長穴は、回転緩衝装置（ダンパー）の回動軸を挟持してアーム体部を回動可能とする幅を持つとともに、
この長穴において、回転緩衝装置（ダンパー）の回動軸に対してアーム体部がその長さ方向にスライド可能とされており、
アーム体部の一方の端部は幕板の裏面を支承して幕板の開閉とともにアーム体部を回動させ、
アーム体部の他方の端部では、長穴を介してのスライドによって、係止ストッパー部への係止とその解除とが可能とされており、
幕板がはね上げられて開かれる場合には、アーム体部は上方への回動にともなう前記スライドで係止ストッパー部への係止による開かれたままの状態での持続が可能とされ、
幕板が閉じられる場合にはアーム体部の係止が解除されるとともに、幕板の自重による回動が前記回転緩衝装置（ダンパー）により緩衝制御されることを特徴とする幕板の開閉制御の構造である。
【００１１】
第２：係止ストッパー部は、アーム体部の端部が挿入される穴部もしくは溝部を有していることを特徴とする前記の開閉制御の構造とする。
【発明の効果】
【００１２】
本発明によれば、従来の問題点を解消し、閉じる場合の緩衝効果と、耐久性、性能の安定、均一性、そして開ける場合の耐久性、安定性にも優れた、施工性の良好な、幕板の開閉制御を可能とする。
【図面の簡単な説明】
【００１３】
【図１】遊技機島の一例を示した断面図である。
【図２】回動緩衝機構を例示した要部断面図である。
【図３】アーム体部の端部が係止ストッパー部の穴部に挿入係止された状態を例示した要部斜視図である。
【図４】図３の状態についての要部断面図である。
【図５】回転緩衝装置（ダンパー）の配置について例示した断面図である。
【発明を実施するための最良の形態】
【００１４】
以下に本発明の幕板開閉制御の構造についてその実施の形態について説明する。
【００１５】
図１は遊技機としてのパチンコ機が配置された遊技機島の断面例を示したものである。この例においては、遊技機１が腰板部２の上部に載置され、上端固定部３により所定の位置と角度において固定される。
【００１６】
遊技機１の上部においては、電気的なものをはじめとする装飾や表示がその表面部において施された幕板４が、本発明の開閉制御構造として配設されている。幕板４は、図中矢印Ｒで示したように、はね上げ方式で開閉自在とされており、開いて幕板４裏面側のスペース４Ａに配置された機器や設備の点検、メンテナンスができるようにしている。
【００１７】
はね上げ方式の遊技機島用幕板４においては、回動緩衝機構によって開閉が制御されている。幕板４裏面部に配設されるこの回動緩衝機構は、図２に例示したように、回転緩衝装置（ダンパー）４１とアーム体部４２並びに係止ストッパー部４３とを備えている。
【００１８】
アーム体部４２は長穴４２１を有し、
この長穴４２１は、回転緩衝装置（ダンパー）４１の回動軸４１１、すなわち、この例では、長さＬの長円形の回動軸４１１を、その幅Ｗにおいて挟持してアーム体部４２を図中の矢印α，βの方向に回動可能としている。
【００１９】
幕板４が開かれる場合にはα方向へ回動し、幕板４が閉じられる場合にはβ方向へ回動する。
【００２０】
また、長穴４２１においては、回転緩衝装置（ダンパー）４１の回動軸４１１に対してアーム体部４２がその長さ方向に、すなわち、長穴４２１の長さＬ０の範囲内において、図中の矢印Ａ，Ｂの方向へとスライド可能とされている。
【００２１】
そして、アーム体部４２の一方の端部４２２は幕板４の裏面を支承して幕板４の開閉とともにアーム体部４２を回動させる。
【００２２】
アーム体部４２の他方の端部４２３では、長穴４２１を介しての方向Ａ，Ｂへのスライドによって、係止ストッパー部４３への係止とその解除とが可能とされている。
【００２３】
係止ストッパー部４３は、例えばアーム体部４２の他方の端部４３が挿入される穴部４３１もしくは溝部を有している。
【００２４】
例えば以上のような細部により構成される幕板４の回動緩衝機構においては、幕板４が手操作によりはね上げられて開かれる場合には、アーム体部４２は図中α方向の上方への回動にともなうスライドで図中Ａの方向へとスライドする。そして、アーム体部４２の前記他方の端部４２３は、係止ストッパー部４３の穴部４３１へと挿入係止される。この状態を部分斜視図として例示したものが図３である。係止ストッパー部４３の穴部４３１への前記他方の端部４２３の挿入と係止によって、図４に例示したように、その位置が仮固定されたアーム体部４２に支承された幕板４は、開かれたままの状態での持続が可能とされる。
【００２５】
この状態は安定に維持されるため、従来の蝶番とフックなどによる係止に比べて確実に開かれた状態として持続するため、幕板４の裏面スペース４Ａ内での点検、メンテナンス作業も安心して行うことができる。従来のように突然フックなどによる係止がはずれて幕板が回動降下するような不都合は生じない。
【００２６】
幕板４が閉じられる場合には手操作として、幕板４をＢ方向へとわずかに前方へ引出すことで、係止ストッパー部４３へのアーム体部４２の係止が解除されるとともに、幕板４の自重による回動が前記回転緩衝装置（ダンパー）４１により緩衝制御される。
【００２７】
回転緩衝装置（ダンパー）４１は、幕板４の閉じる状態においてのみ、その自重による回動を制御する。このため、従来のように、幕板４が閉じられる際の衝撃という問題は生じない。
【００２８】
例えば以上のような幕板４の開閉制御のための回動緩衝機構は、係止ストッパー部４３を有する金属の折り曲げ加工品として構成することができる。この場合、平板部５を、幕板４の裏面側スペース４Ａを形成する側壁部に取付け固定することなどが考慮される。また、回転緩衝装置（ダンパー）４１については、前記アーム体部４２をその長穴４２１を介して回動制御できるものであれば、市販、公知のものをはじめとして各種のものであってよい。
【００２９】
この回転緩衝装置（ダンパー）４１の配置については、断面図として図５に例示するが、アーム体部４２との関係などについては様々な形態であってよい。係止ストッパー部４２の穴部４３１についても同様であり、溝やスリットなど各種のものでもよい。
【００３０】
もちろん、本発明は以上の例示説明に限定されるものではない。その細部において様々な形態が考慮される。
【００３１】
いずれにしても、本発明によれば、従来の問題点を解消し、閉じる場合の緩衝効果と、耐久性、性能の安定性や均一性、そして開ける場合の耐久性、安定性にも優れ、施工性の良好な、幕板の新しい開閉制御の構造を提供することができる。
【符号の説明】
【００３２】
１  遊技機
２  腰板部
３  上端固定部
４  幕板
４Ａ  スペース
４１  回転緩衝装置（ダンパー）
４１１  回動軸
４２  アーム体部
４２１  長穴
４２２  一方の端部
４２３  他方の端部
４３  係止ストッパー部
４３１  穴部
５  平板部
【図２】
2011212275.tif 000003
【図３】
2011212275.tif 000004
【図４】
2011212275.tif 000005
【図５】
2011212275.tif 000006
【図１】
2011212275.tif 000007